(57)【要約】【課題】  第一に特別な断熱構造や耐熱性能を不要にし、第二に配線を簡素化する。【解決手段】  通信装置１０は、発熱量の多い送受信ユニット１２１，１２２及び発熱量の少ない分波ユニット１３１，１３２を含む複数のユニットが一つの筐体１１に収納されたものである。そして、分波ユニット１３１は、送受信ユニット１２１に送信信号線１６１を介して電気的に接続されるとともに、送受信ユニット１２２に受信信号線１７１を介して電気的に接続されている。分波ユニット１３２は、送受信ユニット１２２に送信信号線１６２を介して電気的に接続されるとともに、送受信ユニット１２１に受信信号線１７２を介して電気的に接続されている。また、送受信ユニット１２１，１２２が横に並んで配置され、分波ユニット１３１，１３２が送受信ユニット１２１と送受信ユニット１２２との間に縦に並んで配置されている。【選択図】  図１
2005252948.tif 000002
【特許請求の範囲】
【請求項１】
発熱量の多い送受信ユニット及び発熱量の少ない分波ユニットを含む複数のユニットが一つの筐体に収納された通信装置において、
前記送受信ユニットと前記分波ユニットとが横に並んで前記筐体内に配置された、
ことを特徴とする通信装置。
【請求項２】
発熱量の多い送受信ユニット及び発熱量の少ない分波ユニットを含む複数のユニットが一つの筐体に収納され、前記送受信ユニットが第一及び第二の送受信ユニットからなり、前記分波ユニットが第一及び第二の分波ユニットからなり、前記第一の分波ユニットが前記第一の送受信ユニットに第一の送信信号線を介して電気的に接続されるとともに前記第二の送受信ユニットに第一の受信信号線を介して電気的に接続され、前記第二の分波ユニットが前記第二の送受信ユニットに第二の送信信号線を介して電気的に接続されるとともに前記第一の送受信ユニットに第二の受信信号線を介して電気的に接続された通信装置において、
前記第一及び第二の送受信ユニットが横に並んで配置され、前記第一及び第二の分波ユニットが前記第一の送受信ユニットと第二の送受信ユニットとの間に縦に並んで配置された、
ことを特徴とする通信装置。
【請求項３】
前記送受信ユニット及び前記分波ユニットに加え、変復調ユニット並びに回線切替及び監視制御ユニットが前記筐体に収容され、
選定された無線周波数に応じて構成部品が異なる前記送受信ユニット及び前記分波ユニットが前記筐体内の上部に配置され、
選定された無線周波数に応じて構成部品が変わらない前記変復調ユニット並びに前記回線切替及び監視制御ユニットが前記筐体内の下部に配置された、
請求項１又は２記載の通信装置。
【請求項４】
前記送受信ユニットは、前記変復調ユニットからの中間周波数信号を無線周波数信号に変換してアンテナへ供給する送信機能、及び、無線周波数信号を受信して中間周波数信号に変換する受信機能を有し、
前記分波ユニットは、割り当てられた無線周波数から所望の無線周波数を分離する周波数分離機能を有し、
前記変復調ユニットは、現用伝送系に対して１系統の予備伝送系を具備した１＋１無線予備切替機能、入力ベースバンド信号を変調して中間周波数信号に変換する変調機能、及び、前記送受信ユニットからの中間周波数信号を復調してベースバンド信号に変換する復調機能を有し、
前記回線切替及び監視制御ユニットは、前記現用伝送系と前記予備伝送系との相互間での回線切替えを行う回線切替機能と、回線を監視するとともに当該監視の状態に応じて前記回線切替機能を制御する回線制御機能と、機器の状態の監視表示を行う監視機能とを有する、
請求項１乃至３のいずれかに記載の通信装置。
【発明の詳細な説明】
【技術分野】
【０００１】
本発明は、複数のユニットから構成された通信装置に関し、詳しくは各ユニットの実装構造に関する。
【背景技術】
【０００２】
図３は、従来の通信装置における各ユニットの配置図である。図４は、従来の通信装置の概略斜視図である。以下、これらの図面に基づき説明する。
【０００３】
従来の通信装置５０は、同一偏波で送受信を行う伝送系の二台の送受信ユニット５２１，５２２、変復調ユニット５４、及び二台の分波ユニット５３１，５３２と、回線切替及び監視制御ユニット５５とを、一つの筐体５１に収納したものである。そして、筐体５１内の上部には、分波ユニット５３１，５３２が配置される。筐体５１内の下部すなわち分波ユニット５３１，５３２の下には、選定された無線周波数に応じて構成部品が異なる送受信ユニット５２１，５２２と、無線周波数に応じて構成部品が変わらない変復調ユニット５４と、回線切替及び監視制御ユニット５５とが、それぞれ分離して配置される。分波ユニット５３１は、送受信ユニット５２１に送信信号線５６１を介して電気的に接続され、送受信ユニット５２２に受信信号線５７１を介して電気的に接続される。分波ユニット５３２は、送受信ユニット５２２に送信信号線５６２を介して電気的に接続され、送受信ユニット５２１に受信信号線５７２を介して電気的に接続される。このような通信装置５０は、例えば下記特許文献１に開示されている。
【０００４】
【特許文献１】特開平０８‐１１６２９４号公報
【発明の開示】
【発明が解決しようとする課題】
【０００５】
しかしながら、従来の通信装置５０では、発熱が大きい送受信ユニット５２１，５２２の上に分波ユニット５３１，５３２が設置されることにより、熱が分波ユニット５３１，５３２の下方にとどまることになる。そのため、送受信ユニット５２１，５２２に更なる放熱アイテムを追加したり、仕様環境などを緩和したりする必要があった。そして、このことがコストアップや製品競争力の低下につながっていた。
【０００６】
このように、送受信ユニット５２１，５２２の上に分波ユニット５３１，５３２を設置していた理由は、次のとおりである。開発当初の送受信ユニット５２１，５２２が構造的に大きかったため、分波ユニット５３１，５３２を送受信ユニット５２１，５２２の上下どちらかに設置する以外に選択の余地はなかった。そして、分波ユニット５３１，５３２は、保守交換の割合が少ないユニットであるため、保守要員の扱いにくい上方に置いていた。
【０００７】
また、このような配置では、分波ユニット５３１，５３２と送受信ユニット５２１，５２２とを接続する送信信号線５６１，５６２及び受信信号線５７１，５７２を引き回す際に、配線が複雑化するので、製造を複雑化させ、余計な工数を消費していた。
【０００８】
そこで、本発明の目的は、第一に特別な断熱構造や耐熱性能を不要にでき、第二に配線を簡素化できる通信装置を提供することにある。
【課題を解決するための手段】
【０００９】
請求項１記載の通信装置は、発熱量の多い送受信ユニット及び発熱量の少ない分波ユニットを含む複数のユニットが一つの筐体に収納されたものである。そして、送受信ユニットと分波ユニットとが、横に並んで筐体内に配置される。
【００１０】
従来は、送受信ユニットの上に分波ユニットが配置されていたことにより、送受信ユニットで暖められた空気が上昇して分波ユニットに悪影響を与えるので、特別の断熱構造や耐熱性能が求められていた。これに対し、本発明では、送受信ユニットの横に分波ユニットが配置されていることにより、送受信ユニットで暖められた空気が分波ユニットに悪影響を与えないので、特別の断熱構造や耐熱性能が不要になる。これは、昨今の半導体技術の進歩に伴い、送受信ユニットが小型化されたことにより、このような配置が可能になったためである。
【００１１】
請求項２記載の通信装置は、発熱量の多い送受信ユニット及び発熱量の少ない分波ユニットを含む複数のユニットが一つの筐体に収納され、送受信ユニットが第一及び第二の送受信ユニットからなり、分波ユニットが第一及び第二の分波ユニットからなり、第一の分波ユニットが第一の送受信ユニットに第一の送信信号線を介して電気的に接続されるとともに第二の送受信ユニットに第一の受信信号線を介して電気的に接続され、第二の分波ユニットが第二の送受信ユニットに第二の送信信号線を介して電気的に接続されるとともに第一の送受信ユニットに第二の受信信号線を介して電気的に接続されたものである。そして、第一及び第二の送受信ユニットが横に並んで配置され、第一及び第二の分波ユニットが第一の送受信ユニットと第二の送受信ユニットとの間に縦に並んで配置される。
【００１２】
本発明では、送受信ユニットの横に分波ユニットが配置されていることにより、送受信ユニットで暖められた空気が分波ユニットに悪影響を与えないので、特別の断熱構造や耐熱性能が不要になる。しかも、一つの分波ユニットが二つの送受信ユニットのそれぞれに信号線を介して接続されている場合に、これらの送受信ユニットの間に分波ユニットを配置すれば、信号線の長さを最短にできる。
【００１３】
請求項３記載の通信装置は、請求項１又は２記載の通信装置において、送受信ユニット及び分波ユニットに加え、変復調ユニット並びに回線切替及び監視制御ユニットが筐体に収容されたものである。そして、選定された無線周波数に応じて構成部品が異なる送受信ユニット及び分波ユニットが筐体内の上部に配置され、選定された無線周波数に応じて構成部品が変わらない変復調ユニット並びに回線切替及び監視制御ユニットが筐体内の下部に配置される。
【００１４】
請求項４記載の通信装置は、請求項１〜３の通信装置の各ユニットが次の機能を有する。送受信ユニットは、変復調ユニットからの中間周波数信号を無線周波数信号に変換してアンテナへ供給する送信機能、及び、無線周波数信号を受信して中間周波数信号に変換する受信機能を有する。分波ユニットは、割り当てられた無線周波数から所望の無線周波数を分離する周波数分離機能を有する。変復調ユニットは、現用伝送系に対して１系統の予備伝送系を具備した１＋１無線予備切替機能、入力ベースバンド信号を変調して中間周波数信号に変換する変調機能、及び、送受信ユニットからの中間周波数信号を復調してベースバンド信号に変換する復調機能を有する。回線切替及び監視制御ユニットは、現用伝送系と前記予備伝送系との相互間での回線切替えを行う回線切替機能と、回線を監視するとともに当該監視の状態に応じて回線切替機能を制御する回線制御機能と、機器の状態の監視表示を行う監視機能とを有する。
【００１５】
また、本発明は、次のように言い換えることができる。
【００１６】
（１）．現用伝送系に対して１系統の予備伝送系を具備した１＋１無線予備切替機能を有し、入力ベースバンド信号を変調して中間周波数信号に変換する変調機能、及び、下記送受信ユニットからの中間周波数信号を復調してベースバンド信号に変換する復調機能を有する変復調ユニットと、この変復調ユニットからの中間周波数信号を無線周波数信号に変換してアンテナへ供給する送信機能、及び、無線周波数信号を受信して中間周波数信号に変換する受信機能を有する送受信ユニットと、割り当てられた無線周波数から所望の無線周波数を分離する分波ユニットと、現用伝送系と予備伝送系の相互間での回線切替えを行う回線切替機能、回線を監視するとともにこの監視状態に応じて当該回線切替部の切替え動作を制御する回線制御機能、及び、機器の状態の監視表示を行う監視機能を有する回線切替・監視制御ユニットとを具備する通信装置。そして、同一偏波で送受信を行う伝送系の前記送受信ユニット、前記変復調ユニット、前記分波ユニットと、前記回線切替機能及び回線制御機能を有する前記回線切替・監視制御ユニットとを１つの筐体に収納し、選定された無線周波数に応じて構成部品が異なる前記送受信ユニット及び前記分波ユニットを前記筐体内の上部に配置し、かつ前記送受信ユニットの間に並列になるように前記分波ユニットを配置し、無線周波数に応じて構成部品が変わらない前記変復調ユニット及び前記回線切替・監視制御ユニットをそれぞれ分離して前記筐体内の下部に配置したことを特徴とする。
【００１７】
（２）．上記（１）の通信装置において、同一偏波で送受信を行う伝送系の前記送受信ユニット、前記変復調ユニット及び前記分波ユニットと、前記回線切替機能及び回線制御機能を有する前記回線切替・監視制御ユニットとを１つの前記筐体に収納し、選定された無線周波数に応じて構成部品が異なる前記送受信ユニット及び前記分波ユニットを前記筐体内の上部に配置し、かつ前記送受信ユニットの間に並列になるように前記分波ユニットを配置し、かつ前記送受信ユニットと前記分波ユニットをつなぐ信号線の配線ルートが最短になるように前記送受信ユニットと前記分波ユニットの接続コネクタを配置し、無線周波数に応じて構成部品が変わらない前記変復調ユニット及び前記回線切替・監視制御ユニットをそれぞれ分離して前記筐体内の下部に配置したことを特徴とする通信装置。
【発明の効果】
【００１８】
本発明によれば、送受信ユニットの横に分波ユニットを配置したことにより、送受信ユニットで暖められた空気が分波ユニットに悪影響を与えないので、特別の断熱構造や耐熱性能を不要にできる。一つの分波ユニットが二つの送受信ユニットのそれぞれに信号線を介して接続されている場合に、これらの送受信ユニットの間に分波ユニットを配置することにより、信号線の長さを最短にできるので、配線を簡素化できる。
【００１９】
換言すると、本発明によれば、送受信ユニット、分波ユニット、変復調ユニット、監視制御及び回線切替ユニットなどを一つの筐体に収納しながらも、温度上昇を抑え、実装効率を高め、現用系と予備系へのケーブルロスの差を生じない配線を可能とするとともに、ケーブルの引き回しを簡単にすることにより製造容易性をも向上させることができる。
【発明を実施するための最良の形態】
【００２０】
図１は、本発明に係る通信装置の第一実施形態における各ユニットの配置図である。図２は、本発明に係る通信装置の第一実施形態の概略斜視図である。以下、この図面に基づき説明する。
【００２１】
本実施形態の通信装置１０は、発熱量の多い送受信ユニット１２１，１２２及び発熱量の少ない分波ユニット１３１，１３２を含む複数のユニットが一つの筐体１１に収納されたものである。そして、分波ユニット１３１は、送受信ユニット１２１に送信信号線１６１を介して電気的に接続されるとともに、送受信ユニット１２２に受信信号線１７１を介して電気的に接続されている。分波ユニット１３２は、送受信ユニット１２２に送信信号線１６２を介して電気的に接続されるとともに、送受信ユニット１２１に受信信号線１７２を介して電気的に接続されている。また、送受信ユニット１２１，１２２が横に並んで配置され、分波ユニット１３１，１３２が送受信ユニット１２１と送受信ユニット１２２との間に縦に並んで配置されている。
【００２２】
本実施形態では、送受信ユニット１２１，１２２及び分波ユニット１３１，１３２に加え、変復調ユニット１４並びに回線切替及び監視制御ユニット１５が筐体１１に収容されている。そして、選定された無線周波数に応じて構成部品が異なる送受信ユニット１２１，１２２及び分波ユニット１３１，１３２が筐体１１内の上部に配置され、選定された無線周波数に応じて構成部品が変わらない変復調ユニット１４並びに回線切替及び監視制御ユニット１５が筐体１１内の下部に配置されている。筐体１１は、例えばラック状になっており、嵌め込まれたりボルト締めされたりすることにより各ユニットが配置される。
【００２３】
送受信ユニット１２１，１２２は、変復調ユニット１４からの中間周波数信号を無線周波数信号に変換してアンテナへ供給する送信機能、及び、無線周波数信号を受信して中間周波数信号に変換する受信機能を有する。分波ユニット１３１，１３２は、割り当てられた無線周波数から所望の無線周波数を分離する周波数分離機能を有する。変復調ユニット１４は、現用伝送系に対して１系統の予備伝送系を具備した１＋１無線予備切替機能、入力ベースバンド信号を変調して中間周波数信号に変換する変調機能、及び、送受信ユニット１２１，１２２からの中間周波数信号を復調してベースバンド信号に変換する復調機能を有する。回線切替及び監視制御ユニット１５は、現用伝送系と前記予備伝送系との相互間での回線切替えを行う回線切替機能と、回線を監視するとともに当該監視の状態に応じて回線切替機能を制御する回線制御機能と、機器の状態の監視表示を行う監視機能とを有する。
【００２４】
次に、通信装置１０の作用及び効果について説明する。
【００２５】
従来は、送受信ユニットの上に分波ユニットが配置されていたことにより、送受信ユニットで暖められた空気が上昇して分波ユニットに悪影響を与えるので、特別の断熱構造や耐熱性能が求められていた。これに対し、本実施形態では、送受信ユニット１２１，１２２の横に分波ユニット１３１，１３２が配置されていることにより、送受信ユニット１２１，１２２で暖められた空気が分波ユニット１３１，１３２に悪影響を与えないので、特別の断熱構造や耐熱性能が不要になる。
【００２６】
しかも、一つの分波ユニット１３１が二つの送受信ユニット１２１，１２２のそれぞれに送信信号線１６１及び受信信号線１６２を介して接続されている場合に、これらの送受信ユニット１２１，１２２の間に分波ユニット１３１を配置すれば、送信信号線１６１及び受信信号線１６２の長さを最短にできる。このことは、分波ユニット１３２についても同様である。
【００２７】
次に、通信装置１０の作用及び効果について、言葉を換えてもう一度説明する。
【００２８】
通信装置１０を駆動すると、送受信ユニット１２１，１２２は信号の送受信により発熱が最も大きくなる。その結果、送受信ユニット１２１，１２２から熱が発生し、自然に上方へ放熱される。そこで、送受信ユニット１２１，１２２を筐体１１の最上部に位置させることにより、熱が上方に逃げる際に障害となるユニットがなくなるので、従来よりも放熱効果が上がる。
【００２９】
また、分波ユニット１３１，１３２は、送受信ユニット１２１，１２２と高さ方向では同じ位置にあり、かつ送受信ユニット１２１，１２２間に設置される。そのため、分波ユニット１３１，１３２と送受信ユニット１２１，１２２との間を電気的に接続する送信信号線１６１，１６２や受信信号線１７１，１７２を引き回す際、現用系と予備系への接続ケーブル長を均等にすることが可能となるので、ケーブルロスの差が少なくなる。また、配線が単純化するので、通信装置１０の組み立ての際に製造容易性も向上する。
【図面の簡単な説明】
【００３０】
【図１】本発明に係る通信装置の第一実施形態における各ユニットの配置図である。
【図２】本発明に係る通信装置の第一実施形態の概略斜視図である。
【図３】従来の通信装置における各ユニットの配置図である。
【図４】従来の通信装置の概略斜視図である。
【符号の説明】
【００３１】
１０  通信装置１
１１  筐体
１２１，１２２  送受信ユニット
１３１，１３２  分波ユニット
１４  変復調ユニット
１５  回線切替及び監視制御ユニット
１６１，１６２  送信信号線
１７１，１７２  受信信号線
【図１】
2005252948.tif 000003
【図２】
2005252948.tif 000004
【図３】
2005252948.tif 000005
【図４】
2005252948.tif 000006